【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
それぞれ各ワイヤレスデバイスからの少なくとも２つのデータのストリームを結合する方法であって、
第１のワイヤレスデバイスからの第１のデータのストリームを受信するステップと、
第２のワイヤレスデバイスからの第２のデータのストリームを受信するステップと、
前記第１および第２のデータのストリームのうちの少なくとも１つを縮小するステップと、
前記第１および第２のデータのストリームのうちの少なくとも１つを縮小する前記ステップの後に、残っている第１および第２のデータのストリームを結合して、前記第１および第２のデータのストリームのそれぞれを表すデータを有する結合後のデータのストリームを形成するステップと、
前記結合後のデータのストリームを第３のワイヤレスデバイスへ配信するステップとを含む方法。
【請求項２】
前記縮小するステップが、前記第１および第２のデータのストリームのうちの少なくとも１つの少なくともある部分を取り除くステップを含む請求項１に記載の方法。
【請求項３】
前記第１および第２のデータのストリームのうちの少なくとも１つを縮小する前に、前記受信した第１および第２のデータのストリームのうちの少なくとも１つをデコードするステップをさらに含む請求項１に記載の方法。
【請求項４】
前記結合するステップが、前記第１および第２のデータのストリームのうちの少なくとも１つを縮小する前記ステップの後に、前記残っている第１および第２のデータのストリームを少なくとも部分的にインターリーブするステップを含む請求項１に記載の方法。
【請求項５】
前記結合後のデータのストリームを第３のワイヤレスデバイスへ配信する前記ステップの前に、前記結合後のデータのストリームをエンコードするステップをさらに含む請求項１に記載の方法。
【請求項６】
前記第１および第２のデータのストリームが、双方ともビデオデータストリームである請求項１に記載の方法。
【請求項７】
前記ビデオデータストリームのうちの少なくとも１つが、ＭＰＥＧ−４フォーマットでエンコードされる請求項６に記載の方法。
【請求項８】
さらなるビデオデータを前記結合後のストリームと結合して、ユーザへの情報をレターボックス・ディスプレイ・フォーマット内に提供するステップをさらに含む請求項６に記載の方法。
【請求項９】
前記さらなる情報が、会議の当事者の身元、サービスの告知、ニュース、スポーツ、または広告情報のいずれかを含む請求項８に記載の方法。
【請求項１０】
前記第１および第２のデータのストリームが、オーディオデータストリームである請求項１に記載の方法。
【請求項１１】
前記オーディオデータストリームのうちの少なくとも１つが、ＡＭＲオーディオフォーマットでエンコードされる請求項１０に記載の方法。
【請求項１２】
前記残っている第１および第２のデータのストリームを結合する前記ステップの前に、
前記第１および第２のデータのストリームのうちの少なくとも１つをバッファ内にバッファリングするステップをさらに含む請求項１に記載の方法。
【請求項１３】
前記第１および第２のデータのストリームが、ビデオデータストリームに相当し、前記第１のストリームが、イメージスペースの第１の部分に適合するように縮小され、前記第２のストリームが、イメージスペースの前記第１の部分とは実質的に異なるイメージスペースの第２の部分に適合するように縮小される請求項１に記載の方法。
【請求項１４】
前記結合するステップが、イメージスペースの前記第１および第２の部分を、前記第３のワイヤレスデバイスへ送信するのに適した単一のイメージスペースに結合するステップを含む請求項１３に記載の方法。
【請求項１５】
前記単一のイメージスペースを前記第３のワイヤレスデバイスの単一のスクリーン上に表示するステップをさらに含む請求項１４に記載の方法。
【請求項１６】
前記第１および第２のデータのストリームが、ビデオデータストリームに相当し、前記第１および第２のデータのストリームのうちの少なくとも１つを縮小する前記ステップが、前記第１および第２のデータのストリームのうちの少なくとも１つのストリームの少なくとも１つの部分を、その部分の色を平均化された値と置き換えるステップを含む請求項１に記載の方法。
【請求項１７】
前記第１および第２のデータのストリームが、オーディオデータストリームに相当し、それぞれのストリームが、その選択された部分を取り除くこと、および取り除かれていないすべての部分を結合後のオーディオストリーム内に配置することによって縮小される請求項１に記載の方法。
【請求項１８】
前記結合後のストリームが、インターリーブされたオーディオデータストリームである請求項１７に記載の方法。
【請求項１９】
前記結合後のオーディオストリームを、対応する結合後のビデオストリームと同期するステップをさらに含む請求項１７に記載の方法。
【請求項２０】
前記結合後のオーディオストリームを、対応する結合後のビデオストリームと同期する前記ステップが、前記結合後のオーディオストリームおよび前記結合後のビデオストリームのうちの少なくとも１つのパケット内に含まれているタイミング情報を使用するステップを含む請求項１９に記載の方法。
【請求項２１】
帯域幅の制限に少なくとも部分的に基づいて前記結合後のデータのストリームの属性を低下させるステップをさらに含む請求項１に記載の方法。
【請求項２２】
それぞれ各ワイヤレスデバイスからの少なくとも２つのビデオデータのストリームを結合する方法であって、
イメージスペースの第１の部分に適合する第１のワイヤレスデバイスからの第１のビデオデータのストリームを受信するステップと、
イメージスペースの前記第１の部分とは実質的に異なるイメージスペースの第２の部分に適合する第２のワイヤレスデバイスからの第２のビデオデータのストリームを受信するステップと、
イメージスペースの前記第１および第２の部分を、第３のワイヤレスデバイスへ送信するのに適した結合後のビデオストリームの単一のイメージスペースに結合するステップとを含む方法。
【請求項２３】
前記結合後のビデオストリームを前記第３のワイヤレスデバイスへ配信するステップをさらに含む請求項２２に記載の方法。
【請求項２４】
前記単一のイメージスペースを前記第３のワイヤレスデバイスの単一のスクリーン上に表示するステップをさらに含む請求項２３に記載の方法。
【請求項２５】
残っている第１および第２のデータのストリームを結合する前に、前記第１および第２のビデオデータのストリームのうちの少なくとも１つをバッファ内にバッファリングするステップをさらに含む請求項２２に記載の方法。
【請求項２６】
少なくとも、第１のワイヤレスデバイスから受信された第１のデータストリームと、第２のワイヤレスデバイスから受信された第２のデータストリームとを、第３のワイヤレスデバイスへ配信するのに適した結合後のデータストリームに結合するためのシステムであって、
前記第２のデータストリームの少なくとも一部をバッファリングし、場合によって前記第１のデータストリームの少なくとも一部をバッファリングするための少なくとも１つのデータバッファと、
前記場合によってバッファリングされた第１のデータストリームの少なくとも一部を、前記バッファリングされた第２のデータストリームの少なくとも一部と結合して、前記第１および第２のデータストリームの双方を表すデータを有する結合後のデータストリームを形成するためのデータ・ミキサとを含むシステム。
【請求項２７】
前記データ・ミキサが、前記場合によってバッファリングされた第１のデータストリームおよび前記バッファリングされた第２のデータストリームのうちの少なくとも１つのデータストリームの少なくとも１つの部分を縮小する請求項２６に記載のシステム。
【請求項２８】
前記データ・ミキサによる前記第１および第２のデータストリームの前記結合の前に前記第１および第２のデータストリームのうちの少なくとも１つをデコードするための少なくとも１つのデコーダをさらに含む請求項２６に記載のシステム。
【請求項２９】
前記第３のワイヤレスデバイスへの配信の前に前記結合後のデータストリームをエンコードするためのエンコーダをさらに含む請求項２６に記載のシステム。
【請求項３０】
少なくとも、第１のワイヤレスデバイスから受信された第１のデータストリームと、第２のワイヤレスデバイスから受信された第２のデータストリームと、第３のワイヤレスデバイスへ配信するのに適した結合後のデータストリームに結合するためのシステムであって、
前記第２のデータストリームの少なくとも一部をバッファリングするための手段と、
前記第１のデータストリームの少なくとも一部を、前記バッファリングされた第２のデータストリームの少なくとも一部と結合して、前記第１および第２のデータストリームの双方を表すデータを有する結合後のデータストリームを形成するための手段とを含むシステム。
【請求項３１】
前記第１のデータストリームの少なくとも一部をバッファリングするための手段をさらに含む請求項３０に記載のシステム。
【請求項３２】
前記第１および第２のデータストリームの前記結合の前に前記第１および第２のデータストリームのうちの少なくとも１つをデコードするための手段をさらに含む請求項３０に記載のシステム。
【請求項３３】
前記第３のワイヤレスデバイスへの配信の前に前記結合後のデータストリームをエンコードするための手段をさらに含む請求項３０に記載のシステム。
【請求項３４】
少なくとも、第１のワイヤレスデバイスからの第１のデータストリームと、第２のワイヤレスデバイスからの第２のデータストリームとを受信するデータ・ミキサであって、前記第１のデータストリームの少なくとも一部を、前記第２のデータストリームの少なくとも一部と結合して、前記第１および第２のデータストリームの双方を表すデータを有する結合後のデータストリームを形成し、前記結合後のデータストリームが、第３のワイヤレスデバイスへ配信するのに適しているデータ・ミキサ。